(57)【要約】【課題】屋根の上に積もった雪だまりを安全、容易、且つ迅速に除雪すると共に、操作が容易で且つ低コストで製作・施工できる雪おろし器を提供する。【解決手段】建物(Ｈ)の屋内に設置した給湯器(７)と、かかる給湯器(７)に接続した加圧ポンプ(Ｐ)と、上記給湯器(７)に接続した放水パイプ(１)と、含み、係る放水パイプ(１)は、上記建物(Ｈ)の妻側(Ｗ１)から上がる接続パイプ(１ｃ)を介して屋根(Ｒ１)の棟(Ｍ)に沿って設置され、斜め下向きの放水穴(１３)と下向きの水抜き穴(１５)とを有し、かかる放水穴(１３)と水抜き穴(１５)とを露出させた保温カバー(１２)に覆われ、勾配付きの屋根(Ｒ１)の棟(Ｍ)よりも高く位置するように受け金具(ｋ１)を介して固定されていると共に、当該放水パイプ(１)に連通する妻側(Ｗ１)の接続パイプ(１ｃ)の下部には、水抜き弁(３)が配置されている、雪おろし器。【選択図】  図１
0003130770.tif 000002
【実用新案登録請求の範囲】
【請求項１】
建物(Ｈ)の屋内に設置した給湯器(７)と、かかる給湯器(７)に接続した加圧ポンプ(Ｐ)と、上記給湯器(７)に接続した放水パイプ(１，１ａ，１ｂ)と、含み、
上記放水パイプ(１，１ａ，１ｂ)は、屋根(Ｒ１〜Ｒ４)の棟(Ｍ)および棟隅(Ｃ)の少なくとも一方に沿って設置され、水平向きまたは斜め下向きの放水穴(１４，１３)と下向きの水抜き穴(１５)とを有し、かかる放水穴(１４，１３)と水抜き穴(１５)とを露出させた保温カバー(１２)に覆われ、勾配付きの屋根(Ｒ１〜Ｒ４)の棟(Ｍ)および棟隅(Ｃ)の少なくとも一方よりも高く位置するように受け金具(ｋ１〜ｋ３)を介して固定されていると共に、放水パイプ(１，１ａ，１ｂ)と上記給湯器(７)との間を連通する接続パイプ(１ｃ)には、水抜き弁(３)が配置されている、
ことを特徴とする雪おろし器。
【請求項２】
前記接続パイプ(１ｃ)は、前記建物(Ｈ)の妻側(Ｗ１)から立設し、その上端で前記放水パイプ(１，１ａ，１ｂ)に連通している、
ことを特徴とする請求項１に記載の雪おろし器。
【請求項３】
前記給湯器(７)は、前記建物(Ｈ)の屋内で且つ開閉可能なドア(ｄ)を有する密閉可能な容器(Ｂ)内に収容されている、
ことを特徴とする請求項１または２に記載の雪おろし器。
【請求項４】
前記屋根(Ｒ１〜Ｒ４)の棟(Ｍ)および棟隅(Ｃ)の少なくとも一方の上方で且つ前記放水パイプ(１，１ａ，１ｂ)よりも低い位置に、降雪した雪(Ｓ)により受光または信号の受信が遮断される降雪センサー(ｓ１，ｓ２)を配置している、
ことを特徴とする請求項１乃至３の何れか一項に記載の雪おろし器。
【考案の詳細な説明】
【技術分野】
【０００１】
本考案は、雪国などの豪雪地帯において屋根の上に積もった雪だまりを、安全、容易、且つ迅速に取り除くことができる雪おろし器に関する。
【背景技術】
【０００２】
周知のように、雪国、特に豪雪地帯（主に日本海側の地方や山間部）では、屋根の上に積もって堆積した雪だまりを、屋根に登った人の力で地表に落とすことで除雪している。かかる除雪作業は、労力を要すると共に、危険を伴うため、高齢者などの世帯にとって、大きな負担となっている。また、雪おろしを業者に委託した場合、年間で約６〜１５万円の除雪費用が必要となっている。
上記の問題点を解決するため、例えば、屋根の裏面における氷堤が生じる軒先部分に、かかる屋根の傾斜方向に沿ったコイル状またはラミネート状の熱源を設けた軒先装置が提案されている（例えば、特許文献１参照）。
更に、ストーブの余熱によって蒸気および熱風を発生する熱交換器と、かかる熱交換器から発生した蒸気と熱風とを混合して貯留・加圧する加圧供給器と、かかる加圧供給器からの蒸気および熱風を複数の噴射孔から噴出する屋根上に配管された蒸気熱風噴出路と、を備えた屋根の除雪装置も提案されている（例えば、特許文献２参照）。
【０００３】
【特許文献１】実開昭５４−３１３３８号公報（第１〜５頁、第２〜４図）
【特許文献２】特開平１−２３５７８１号公報（第１〜５頁、第１〜６図）
【０００４】
しかし、特許文献１の前記軒先装置では、屋根上にたまる融雪水が凍結した氷堤を、熱源により溶かして排水できるに過ぎず、屋根上に堆積した雪だまりを除くことは不向きである。しかも、熱源を屋根の棟側から軒先に向かって配置するため、熱効率が低く、且つ積雪によって機械を壊す可能性もある。
更に、前記特許文献２の前記除雪装置は、ストーブ、熱交換器、水送給器、空気送給器、加圧送給器、および蒸気熱風噴射通路を必要とする。このため、全体の装置構成が複雑で、設備コストが高くなると共に、ランニングコストもそれなりに必要となる、という問題があった。
【考案の開示】
【考案が解決しようとする課題】
【０００５】
本考案は、前記背景技術における問題点を解決し、屋根の上に積もった雪だまりを安全、容易、且つ迅速に除雪すると共に、操作が容易で且つ低コストで製作・施工できる雪おろし器を提供する、ことを課題とする。
【課題を解決するための手段】
【０００６】
本考案は、前記課題を解決するため、発明者自ら冬季の積雪地帯において、実際に試験を行うことで得られた、屋根上の雪だまりを安全、容易、且つ迅速に除去可能とし、低コストで実現可能とする知見に基づき、得られたものである。
即ち、本考案の雪おろし器（請求項１）は、建物の屋内に設置した給湯器と、かかる給湯器に接続した加圧ポンプと、上記給湯器に接続した放水パイプと、含み、前記放水パイプは、屋根の棟および棟隅の少なくとも一方に沿って設置され、水平向きまたは斜め下向きの放水穴と下向きの水抜き穴とを有し、かかる放水穴と水抜き穴とを露出させた保温カバーに覆われ、勾配付きの屋根の棟および棟隅の少なくとも一方よりも高く位置するように受け金具を介して固定されていると共に、当該放水パイプに連通する接続パイプには、水抜き弁が配置されている、ことを特徴とする。
尚、前記放水パイプは、屋根の棟や棟隅よりも約２０〜３０ｃｍ程度高い位置に配管される。かかる高さは、設置する地方の積雪状況や、居住者の安全に対する目安などにより決定される。
【０００７】
また、本考案には、前記接続パイプは、前記建物の妻側から立設し、その上端で前記放水パイプに連通している、雪おろし器（請求項２）も含まれる。
更に、本考案には、前記給湯器は、前記建物の屋内で且つ開閉可能なドアを有する密閉可能な容器内に収容されている、雪おろし器（請求項３）も含まれる。
尚、上記容器は、金属製または断熱性の素材からなり、ドアを閉じた際に屋内との間を密閉可能に遮蔽できるものが用いられる。
加えて、本考案には、前記屋根の棟の上方、または屋根の隅の上方で且つ前記放水パイプよりも低い位置に、降雪した雪により受光または信号の受信が遮断される降雪センサーを配置している、雪おろし器（請求項４）も含まれる。尚、降雪センサーの高さは、放水パイプの直下（数ｃｍ〜５ｃｍ）の位置が望ましい。
【考案の効果】
【０００８】
請求項１の雪おろし器によれば、前記給湯器で加熱された温水は、加圧ポンプによって前記放水パイプに送給され、かかる放水パイプの放水穴から屋根上に堆積した雪だまりに対して、放出される。かかる放出された温水は、雪だまりを融雪しつつ、前記屋根の勾配に沿って鼻先（軒先）側に向かって流下するため、上記雪だまりの底部付近を次第に全体にわたって融雪して行く。この結果、屋根上に堆積した雪だまりは、屋根の勾配に沿って鼻先側に移動した後、地表に落下する。また、前記保温カバーによって、給湯器から送給された前記温水の冷却を防止できるので、かかる温水によって、屋根上に堆積した雪だまりを確実に融雪して除雪することができる。更に、除雪後に放水パイプに残った温水は、前記下向きの水抜き孔から排水されると共に、接続パイプ中の温水も水抜き弁から排水されるため、放水パイプ自体の凍結を防ぐこともできる。尚、除雪する際には、屋根の軒下に人がいないか否か、監視して行うことが望ましい。
【０００９】
例えば、切妻式の屋根における棟や、寄せ棟式の屋根における棟および棟隅（斜めの稜線）、あるいは方形の屋根の棟隅に沿って、これらよりも高い位置に前記放水パイプが受け金具により固定される。このため、前記温水によって屋根上に堆積した雪だまりを確実に融雪できる。従って、屋根上に堆積した雪だまりを安全、容易、且つ迅速に除雪でき、メンテナンスも簡単であると共に、素人でも操作が容易であり、且つ低コストで製作・施工でき、ランニングコストも安価にすることが可能となる。
尚、本発明の対象となる屋根は、勾配があり、棟または棟隅の少なくとも何れか一方があれば良く、前記のほか、入り母屋、腰折れ、あるいは、しころ葺きなどの屋根も含まれる。また、前記給湯器は、ガス瞬間式湯沸かし器のほか、重油や薪や石炭などを燃焼させるボイラー、薪などを燃焼させ且つ熱交換器を併設した暖炉も含んでいる。
【００１０】
また、請求項２の雪おろし器によれば、建物の妻側に隣接する屋内に前記給湯器や加圧ポンプを容易に配置することができる。
更に、請求項３の雪おろし器によれば、前記容器は、ドアを閉じた際に屋内との間を密閉可能に遮蔽できるため、万が一、給湯器のガスが不完全燃焼に陥っても、居住者の安全を図ることが可能となる。
加えて、請求項４の雪おろし器によれば、降雪センサーの受光器に光が受光しなくなったり、赤外線や電波が受信できなくなった際、例えば、ブザーなどにより居住者に注意を喚起し、前記給湯やポンプを稼働させることで、雪おろしを的確なタイミングで行うことができる。
あるいは、降雪センサーの受光器に光などが受光しなくなった際に、自動的に給湯器や加圧ポンプなどを作動させて、屋根上に堆積した雪だまりを自動的に除雪できる。しかも、除雪され且つ光や赤外線が再度受光または受信可能となった後では、タイマーにより所定時間が経過した後に、給湯器や加圧ポンプなどを自動的に停止させることも可能となる。このため、例えば、高齢者や単身者の世帯などにとって手数を要さず好適となる。
【考案を実施するための最良の形態】
【００１１】
以下において、本考案を実施するための最良の形態について説明する。
図１は、本考案の雪おろし器を屋根に取り付けた建物Ｈを示すほぼ水平な視角の斜視図、図２は、建物Ｈにおける一方の妻側の側壁Ｗ１付近を示す垂直断面図および同図中の矢印Ｘに沿った視角で部分的に透視した側面図である。
図１，図２に示すように、建物Ｈにおける積雪の少ない妻側の側壁Ｗ１付近にの屋内には、給湯器７、加圧ポンプＰ、およびガスボンベＧが配置されている。加圧ポンプＰは、床下から立設した源水管ｔから給水された水を、中間に止水弁ｖを有する給水管４を介して給湯器７に供給する。また、給湯器７は、給湯管９によって後述する妻の側壁Ｗ１に沿って立ち上がる接続パイプ１ｃに連通している。
給湯器７は、例えば、１６号（給湯できるパイプの内径が１６ｍｍ以下）または２０号（給湯できるパイプの内径が２０ｍｍ以下）の家庭用のガス瞬間湯沸かし器である。尚、これよりも大径のパイプ用の業務用給湯器を用いても良い。
【００１２】
図２に示すように、給湯器７には、ガス供給管５と吸気管７ａとガスの排気管８とが接続されている。吸気管７ａは、外気の導入管６の屋内側に接近した位置にあって、外気を導入し、排気管８は、燃焼済みガスを側壁Ｗ１を貫通して屋外に放出する。尚、ガス供給管５は、ＬＰＧなどのガスボンベＧに接続されている。
即ち、給湯器７は、ガス供給管５からＬＰＧガスを供給され、導入管６および吸気管７ａを介して供給された外気によって、上記ガスを燃焼させ、その熱により給水管４から加圧ポンプＰを介して給水された水を加熱して温水ｗとし、かかる温水ｗを給湯管９を介して屋外の放水パイプ１などに給湯する。
【００１３】
更に、給湯器７、加圧ポンプＰ、およびガスボンベＧは、妻側の側壁Ｗ１に背面壁が接触または接近する容器Ｂの内部に収容されている。かかる容器Ｂは、金属製または断熱性の素材からなり、屋内側に観音開きで開く一対のドアｄ，ｄを閉じた際に、内部と屋内との間を密閉可能に遮蔽できる。尚、各ドアｄの外側には、ノブｎが固定されると共に、一方のドアｄには、給湯器７のメータ類が透視できる除き窓ｍが設けられている。
給湯器７や加圧ポンプＰなどを建物Ｈの妻側（側壁Ｗ１）に配設すると、雪の影響を抑制し易くなると共に、これらを容器Ｂ内に収容することで、ガスの不完全燃焼による事故を回避でき、且つ屋内の美観を保つことも可能となる。
【００１４】
図１に示すように、前記給湯管９から妻側の側壁Ｗ１を貫通し、且つこれに沿って垂直に立ち上がる接続パイプ１ｃは、その下部に連通する枝管１ｄに水抜き弁３を有している。かかる接続パイプ１ｃの上端は、切妻式の屋根Ｒ１の棟Ｍに沿ってその上方に配置された放水パイプ１の一端に接続されている。かかる放水パイプ１は、屋根Ｒ１の棟Ｍに沿って、一定ピッチの複数の受け金具ｋ１により、固定されている。尚、かかる放水パイプ１の他端には、下端に水抜き弁３を有する排水パイプ１ｇが反対側の妻側の側壁Ｗ２に沿って垂直に接続されている。
尚、接続パイプ１ｃ、枝管１ｄ、および排水パイプ１ｇは、後述する樹脂パイプの外周全体に保温カバーを被覆したものである。
【００１５】
図３は、放水パイプ１の部分的な斜視図、図４，図５は、かかる放水パイプ１の軸方向に沿った垂直断面図と、これに直交する方向に沿った垂直断面図である。
図３〜図５に示すように、放水パイプ１は、塩化ビニル系の耐熱性を有する樹脂パイプ（通称、高温パイプ）１０と、その外周のほぼ全体に巻き付けた保温カバー１２とからなる。樹脂パイプ１０は、断面円形の中空部１１を全長に沿って有し、水平線に対し斜め下向きに３０度の角度θで複数の放水穴１３が一定ピッチで左右対称に形成され、且つ下向きの水抜き穴１５も前記ピッチよりも長いピッチで複数形成されている。かかる放水穴１３と水抜き穴１５とは、保温カバー１２に設けた断面ほぼ半円形の切り欠き１２ａの奥側に開口している。図３，図４に示すように、切り欠き１２ａの奥側には、放水穴１３のみが開口する箇所と、放水穴１３および水抜き穴１５の双方が開口する箇所とがある。
尚、保温カバー１２は、例えば、発泡樹脂またはグラスウールからなり、樹脂パイプ１０の外径と同等か、それ以上の厚みを有する。
【００１６】
因みに、切り妻式の屋根Ｒ１における棟Ｍの上方に、約２０〜３０ｃｍの高さｈで放水パイプ１を水平に配管し、前記樹脂パイプ１０の中空部１１の内径が１３ｍｍで且つ放水穴１３の内径が２ｍｍの場合、隣接する放水穴１３，１３のピッチは、４１０〜４５０ｍｍの範囲が推奨される。同時に、水抜き穴１５の内径が２ｍｍの場合、隣接する水抜き穴１５，１５ののピッチは、９００〜１２３０ｍｍの範囲が推奨される。尚、上記条件の場合、棟Ｍの全長は、７ｍ以下が良い。
また、樹脂パイプ１０の中空部１１の内径が１６ｍｍで且つ放水穴１３の内径が２ｍｍの場合、棟Ｍの全長は１０ｍ以下が推奨される。更に、樹脂パイプ１０の中空部１１の内径が２０ｍｍで且つ放水穴１３の内径が２ｍｍの場合、棟Ｍの全長は１７ｍ以下が推奨される。
【００１７】
図６は、異なる放水パイプ１ａの断面図であり、前記放水パイプ１と異なる点は、樹脂パイプ１０に対し、水平な放水穴１４を左右対称に複数個を全長に沿って、前記同様のピッチにより形成したものである。
また、図７は、後述する片流れの屋根Ｒ２の棟Ｍに用いる別の放水パイプ１ｂの断面図であり、前記放水パイプ１，１ａと異なる点は、樹脂パイプ１０に対し、斜め下向きの放水穴１３または水平な放水穴１４を左側にのみ複数個を全長に沿って、前記ピッチと同様にして形成したものである。尚、保温カバー１２には、放水穴１３（放水穴１４）および水抜き穴１５の一方または双方を奥側で露出させる断面ほぼ４分の１円の切り欠き１２ｂが所定ピッチで形成されている。
【００１８】
図８は、切り妻式の屋根Ｒ１における棟Ｍの付近を示す垂直な概略図である。
図８に示すように、受け金具ｋ１は、左右の屋根面に載置される一対の斜片１６、これらを接続し且つ棟Ｍの外形にほぼ沿ったアール部１７、その中央から立設する支柱部１８、および、その上端に位置し且つ上向きに開口するコ字部１９を備えている。コ字部１９には、放水パイプ１が挿入され、図示しないワイヤなどにより、かかる放水パイプ１を抜け出し不能に支持している。放水パイプ１の中心部の高さｈは、棟Ｍを除いた屋根Ｒ１の最上部よりも約２０〜３０ｃｍ高くなるように、受け金具ｋ１のサイズを適宜選定する。
【００１９】
以上のような雪おろし器は、以下のようにして使用される。
天気予報により持続的な降雪が予想される場合、予め、給湯器７を稼働させおく。尚、給湯器７は、除雪以外の生活上の用途に使うこともできる。
屋外Ｒ１上において目視で放水パイプ１付近の高さまで、雪が積もった時点で、止水弁ｖを開き、加圧ポンプＰにより給水した水を給湯器７で加熱し、得られた温水ｗを給湯管９に送り、接続パイプ１ｃを経て、屋根Ｒ１の棟Ｍ上の放水パイプ１に圧送する。放水パイプ１に圧送された温水ｗは、図１に示すように、斜め下向きの放水穴１３から棟Ｍを挟んで両側の屋根Ｒ１上に放出される。
上記放出された温水ｗは、雪だまりを融雪しつつ、屋根Ｒ１の勾配に沿って鼻先（軒先）側に向かって流下するため、上記雪だまりの底部付近を次第に全体にわたって融雪して行く。尚、温水ｗの一部は、水抜き孔１５からも流下し、棟Ｍ付近を経て屋根Ｒ１上に流れ出る。
【００２０】
その結果、屋根上Ｒ１に堆積した雪だまりは、屋根Ｒ１の勾配に沿って瞬時に鼻先（軒先）側に移動した後、地面に落下する。この間において、保温カバー１２によって、給湯器７から送給された温水ｗの冷却を防止できるので、屋根Ｒ１上に堆積した雪だまりを確実に融雪して除雪することができる。更に、除雪後に放水パイプ１に残った温水は、下向きの水抜き孔１５から排水される。尚、前記放水パイプ１に替えて、前記放水パイプ１ａを用いても良い。
除雪後には、給湯器７および加圧ポンプＰを停止させ、止水弁ｖを閉じる。更に、水抜き弁３を開くことで、接続パイプ１ｃ中に残った温水ｗも水抜き弁３から排水できるため、放水パイプ１（１ａ）の凍結を防ぐこともできる。
以上のように、一人世帯や高齢者でも、簡単な操作で確実、安全、且つ迅速に、屋根Ｒ１上に積もった雪を除雪することができる。
【００２１】
また、本考案の雪おろし器には、降雪センサーを併設しても良い。
図７に示すように、前記受け金具ｋの斜片１６，１６における前方または後方には、同じ高さのポスト２０が立設し、一方（左側）のポスト２０の上端には発光器ｓ１が、他方（右側）のポスト２０の上端には受光器ｓ２が、取り付けられる。かかる投・受光器ｓ１，ｓ２は、本考案の降雪センサーを構成し、発光器ｓ１は、光または赤外線などを発光し、受光器ｓがこれらの光などを受光する。
尚、投・受光器ｓ１，ｓ２の設置位置は、放水パイプ１の高さｈよりも、数ｃｍ〜５ｃｍ程度下側で、且つ左右の放水穴１３が開口していない位置が良い。また、上記投・受光器ｓ１，ｓ２に替えて、発信器および受信器を用いて、特定の電波や信号を受・発信する降雪センサーとしても良い。
【００２２】
前記降雪センサを併有する雪おろし器は、以下のようにして使用される。
天気予報により降雪が予想される場合、予め、投光器ｓ１から受光器ｓ２に向けて、光を発光させておく。そして、図８中の一点鎖線で示すように、雪Ｓが放水パイプ１（１ａ）の直下付近まで積もると、上記光が遮断される。かかる遮断をブザーやチャイムなどで、居住者に知らせる。この結果、給湯器７や加圧ポンプＰを前記同様に稼働させることで、タイミング良く除雪を行うことができる。
あるいは、前記光の遮断状態が一定時間（例えば、１０〜２０分間）続き、受光器ｓ２に光が受光されないことで作動するタイマーにより、前記給湯器７および加圧ポンプＰを前記同様に稼働させる。尚、かかる操作は、前記容器Ｂ付近に配置した制御手段（例えば、コントローラまたはパソコン）により行われる。
その結果、図９に示すように、前記接続パイプ１ｃを経て、放水パイプ１（１ａ）に圧送された温水ｗは、左右の放水穴１３から斜め下向きに放出され、屋根Ｒ１上に積もった雪Ｓを融雪しつつ、底雪崩的に軒先側に降ろして地表に落とすことを、タイミング良く、更には、自動的に行うことができる。
尚、前記水抜き弁３の開閉を屋内から遠隔操作可能とすることで、高齢者や単身者の世帯でも、確実且つ自動的に除雪と後処理に必要な操作が行える。
【００２３】
図１０は、片流れ式の屋根Ｒ２における棟Ｍ付近の概略図である。
この場合、図１０に示すように、放水穴１３が片側（左側）のみにある放水パイプ１ｂが用いられ、複数の受け金具ｋ２によって、棟Ｍの上方に沿って配管される。金具ｋ２は、屋根Ｒ２の表面に沿った斜片１６、その上端から立設する支柱部２３、および、その上端に位置し且つ上向きに開口するコ字部２４を備えている。かかるコ字部２４には、放水パイプ１ｂが挿入され且つ固定される。
また、図１０に示すように、受け金具ｋ２の斜片１６における前方または後方の位置に、ベース２２を有する支柱２１を介して、その上端に投光器ｓ１を取り付けると共に、棟Ｍの上に円弧形のベース２５を有する支柱２６を介して、その上端に受光器ｓ２を取り付けて、降雪センサーを併設するようにしても良い。
以上の片流れ式の屋根Ｒ２においても、本考案の雪おろし器は、前記同様に作用し、且つ効果を奏することができる。
【００２４】
図１１は、建物Ｈにおける寄せ棟式の屋根Ｒ３に対し、本考案の雪おろし器を配設した状態を斜視図である。
図１１に示すように、寄せ棟式の屋根Ｒ３の建物Ｈにおいても、妻側の側壁Ｗ１付近に配置した前記給湯器７や加圧ポンプＰなどは、水平な給湯管１ｆから左右の垂直な接続管１ｃとエルボ部１ｅとを介して、屋根Ｒ３の稜線に当たる棟隅Ｃごとの上方に沿った斜めの放水パイプ１，１に接続されている。放水パイプ１，１は、棟Ｍの一端の上方で合流して１本となり、当該棟Ｍの上方に沿って配管される。尚、接続管１ｃの下端には、水抜き弁３を有する枝管１ｄが接続されている。また、エルボ部１ｅは、前記樹脂パイプ１０および保温カバー１２からなる。
【００２５】
また、棟Ｍ上の放水パイプ１は、棟Ｍの反対側（図１１で左側）で２本に分岐し、隅Ｃごとに沿って斜め下向きに接続されている。これらの放水パイプ１も、図１１に示すように、一定ピッチの複数の受け金具ｋ１，ｋ３を介して、屋根Ｒ３の棟Ｍおよび棟隅Ｃに沿って固定されている。尚、受け金具ｋ３は、金具ｋ１を棟隅Ｃ用に各部を変形したものである。
更に、図１１の左側に示すように、各棟隅Ｃごとに沿った放水パイプ１の下端は、それぞれエルボ部１ｅを介して垂直な排水パイプ１ｇに接続される。かかる排水パイプ１ｇの下端にも、水抜き弁３が設けられている。
【００２６】
以上のような寄せ棟式の屋根Ｒ３に対しても、本考案雪おろし器によれば、前記同様の給湯器７および加圧ポンプＰからの温水ｗを、図１２に示すように、各棟隅Ｃごとに沿った複数の放水パイプ１と、棟Ｍおよび棟隅Ｃ上に沿った放水パイプ１との各放水穴１３から屋根Ｒ３上に放出できるため、確実且つ安全に除雪が行える。尚、放水パイプ１を前記放水パイプ１ａに替えても良い。
従って、屋根Ｒ３上に登ることなく、安全に雪おろしを行うことができ、高齢者や一人暮らしの世帯でも容易に使用することが可能である。しかも、素人でも操作が容易であり、メンテナンスも簡単であると共に、低コストで製作・施工でき、且つランニングコストも安価にすることができる。
【００２７】
図１３は、建物Ｈにおける方形（四角錐形）の屋根Ｒ４に対し、本考案の雪おろし器を配設した状態を斜視図である。
図１３に示すように、方形の屋根Ｒ４の建物Ｈでは、任意の側壁Ｗ１付近に配置した前記加圧ポンプＰや給湯器７などは、水平な給湯管１ｆから左右の接続管１ｃとエルボ部１ｅとを介して、屋根Ｒ４における４つの稜線に当たる棟隅Ｃごとの上方に沿った斜めの放水パイプ１に接続されている。左右の接続管１ｃに接続する２本の放水パイプ１は、４つの棟隅Ｃの頂点上方で合流し、更に２本に分岐して個別に別の棟隅Ｃの上方に沿って配管される。
尚、接続管１ｃの下端には、水抜き弁３を有する枝管１ｄが接続されている。また、図１３では、放水パイプ１を支える受け金具（ｋ３）は省略している。
【００２８】
更に、図１３の左側に示すように、各棟隅Ｃごとに沿って傾斜した放水パイプ１の下端は、それぞれエルボ部１ｅを介して、前記側壁Ｗ１と反対側の側壁Ｗ２に沿った垂直な排水パイプ１ｇに接続される。かかる排水パイプ１ｇの下端にも、水抜き弁３が設けられている。
以上のような方形の屋根Ｒ４に対しても、本考案雪おろし器によれば、前記同様の加圧ポンプＰおよび給湯器７からの温水ｗを、図１４に示すように、各棟隅Ｃごとに沿った複数の放水パイプ１の各放水穴１３から屋根Ｒ３上に放出できるため、確実且つ安全に除雪が行うことができる。
尚、前記接続管１ｃを１本とし、温水ｗを１本の放水パイプ１を介して供給し、これから残り３本の放水パイプ１に供給する形態としても良い。また、かかる形態を含めて、放水パイプ１を前記放水パイプ１ａに替えても良い。
【実施例】
【００２９】  以下において、実際に本考案の雪おろし器を用いた除雪実験を説明する。・実験場所：〒０７１−０２３５  北海道上川郡美瑛町字白金            （公序良俗につき不掲載）近辺の山中・実験年月日：２００６年２月１６日  時間９：００〜１８：００・実験場所環境：外気温：零下３℃〜零下１０℃、山中に大量の積雪あり・トタン屋根：３．７×７ｍ、勾配：３寸３分・上記トタン屋根の棟上に沿って、高さが３０ｃｍの前記受け金具ｋ２を介して、放水パイプ１ａ（全長約７ｍ、放水穴１４の内径２ｍｍ×ピッチ４５０ｍｍ）を水平に配置した。かかるトタン屋根の上には、ある高さの雪だまりを予めほぼ全面に載せた。【００３０】
次いで、上記放水パイプ１ａに約５０℃の温水ｗを流した（給湯流量：５〜６リットル／分）。かかる温水を、放水パイプ１ａのサイドに開口する複数の放水穴１４から、上記トタン屋根の上に載せた雪だまりの棟側部分に向かって温水ｗを連続して放水した。
放水開始から約２０分経過すると、トタン屋根の鼻先（軒先）から約２０℃となった温水が流れ出初めた。
すると、トタン屋根上の雪だまりに亀裂現象が見え初めた。かかる亀裂現象を生じた時において、鼻先（軒先）から流れ出る温水は、約３０℃であった。
その後、トタン屋根上の雪だまりの全部が、一瞬にして当該トタン屋根から鼻先側から地表に落下した。実験開始からトタン屋根上の雪だまりの全てが落下するまでの所要時間は、約３０分であった。
【図面の簡単な説明】
【００３１】
【図１】本考案の雪おろし器を取り付けた切妻式屋根の建物を示す斜視図。
【図２】上記建物の妻側の付近を示す側面および垂直断面の概略図。
【図３】上記雪おろし器に用いる放水パイプを示す斜視図。
【図４】上記放水パイプの長手方向に沿った垂直断面図。
【図５】上記放水パイプの長手方向と直交する向きでの垂直断面図。
【図６】異なる形態の放水パイプを示す図５と同様な断面図。
【図７】更に異なる形態の放水パイプを示す図５と同様な断面図。
【図８】図１に示した切妻式の屋根における棟付近を示す垂直な概略図。
【図９】本考案の雪おろし器の作用を示す垂直な概略図。
【図１０】片流れ式の屋根における棟付近を示す垂直な概略図。
【図１１】異なる形態の雪おろし器を含む寄棟式の屋根の建物を示す斜視図。
【図１２】上記雪おろし器の作用を示す斜視図。
【図１３】別なる形態の雪おろし器を含む方形の屋根の建物を示す斜視図。
【図１４】上記雪おろし器の作用を示す斜視図。
【符号の説明】
【００３２】
Ｈ……………………建物
Ｒ１〜Ｒ４…………屋根
Ｍ……………………棟
Ｃ……………………棟隅
Ｗ１，Ｗ２…………妻側の側壁（妻側）
Ｂ……………………容器
ｄ……………………ドア
Ｐ……………………加圧ポンプ
ｋ１〜ｋ３…………受け金具
ｓ１，ｓ２…………投・受光器（センサー）
１，１ａ，１ｂ……放水パイプ
１ｃ…………………接続パイプ
３……………………水抜き弁
７……………………給湯器
１２…………………保温カバー
１３，１４…………放水穴
１５…………………水抜き穴
【図１】
0003130770.tif 000003
【図２】
0003130770.tif 000004
【図３】
0003130770.tif 000005
【図４】
0003130770.tif 000006
【図５】
0003130770.tif 000007
【図６】
0003130770.tif 000008
【図７】
0003130770.tif 000009
【図８】
0003130770.tif 000010
【図９】
0003130770.tif 000011
【図１０】
0003130770.tif 000012
【図１１】
0003130770.tif 000013
【図１２】
0003130770.tif 000014
【図１３】
0003130770.tif 000015
【図１４】
0003130770.tif 000016
【手続補正書】
【提出日】平成18年12月22日(2006.12.22)
【手続補正１】
【補正対象書類名】明細書
【補正対象項目名】００２９
【補正方法】変更
【補正の内容】
【００２９】
以下において、実際に本考案の雪おろし器を用いた除雪実験を説明する。
・実験場所：〒０７１−０２３５  北海道上川郡美瑛町字白金の近辺の山中
・実験年月日：２００６年２月１６日  時間９：００〜１８：００
・実験場所環境：外気温：零下３℃〜零下１０℃、山中に大量の積雪あり
・トタン屋根：３．７×７ｍ、勾配：３寸３分
・上記トタン屋根の棟上に沿って、高さが３０ｃｍの前記受け金具ｋ２を介して、放水パイプ１ａ（全長約７ｍ、放水穴１４の内径２ｍｍ×ピッチ４５０ｍｍ）を水平に配置した。かかるトタン屋根の上には、ある高さの雪だまりを予めほぼ全面に載せた。
【手続補正書】
【提出日】平成18年12月28日(2006.12.28)
【手続補正１】
【補正対象書類名】明細書
【補正対象項目名】００２９
【補正方法】変更
【補正の内容】
【００２９】
以下において、実際に本考案の雪おろし器を用いた除雪実験を説明する。
・実験場所：〒０７１−０２３５  北海道上川郡美瑛町字白金の近辺の山中
・実験年月日：２００６年２月１６日  時間９：００〜１８：００
・実験場所環境：外気温：零下３℃〜零下１０℃、山中に大量の積雪あり
・トタン屋根：３．７×７ｍ、勾配：３寸３分
・上記トタン屋根の棟上に沿って、高さが３０ｃｍの前記受け金具ｋ２を介して、放水パイプ１ａ（全長約７ｍ、放水穴１４の内径２ｍｍ×ピッチ４５０ｍｍ）を水平に配置した。かかるトタン屋根の上には、ある高さの雪だまりを予めほぼ全面に載せた。